(57)【特許請求の範囲】
【請求項１】
ネブライザ（１）によって噴霧される流体（２）を収容する容器（３）に接続可能な表示デバイス（２５）であって、
前記表示デバイス（２５）は、前記容器（３）を用いて実施されたか又は依然として可能な使用回数を表示するための表示要素（３５）と、該表示要素（３５）の回転送りを引き起こす起動要素（３６）とを含み、
予め決められた使用回数が前記容器（３）によって到達されたか又は超過された時に、前記表示デバイス（２５）は、前記容器（３）が前記ネブライザ（１）での更なる使用に対してロックされるロック状態に入ることができ、
前記表示デバイス（２５）はハウジング（３１）を含み、
前記ハウジング（３１）は、前記表示デバイス（２５）を前記容器（３）に対して固定的に配置するために、前記容器（３）と接続するように適合された把持セクション（３２）を含み、
前記ハウジング（３１）は、前記ネブライザの駆動部分（５２）によって前記起動要素（３６）が起動されて前記表示要素（３５）が回転送りされるように、前記駆動部分（５２）が通って入る挿入開口部（５４）を含み、
前記表示デバイス（２５）は、前記ロック状態で前記挿入開口部（５４）を遮断する阻止部分（６１）を含む、
ことを特徴とする表示デバイス（２５）。
【請求項２】
前記表示デバイス（２５）の前記ハウジング（３１）は少なくとも本質的に円筒形形態を有し、前記挿入開口部（５４）は、前記ハウジング（３１）の軸線方向端面上に配置されることを特徴とする請求項１に記載の表示デバイス。
【請求項３】
前記阻止部分（６１）は前記起動要素（３６）と接続されるか又は前記起動要素（３６）によって形成されることを特徴とする、請求項１又は請求項２に記載の表示デバイス。
【請求項４】
前記阻止部分（６１）は、前記起動要素（３６）の平坦側面で形成され、前記起動要素（３６）は、前記ロック状態で前記起動要素（３６）の平坦側面で前記挿入開口部（５４）を遮断する位置にあることを特徴とする請求項３に記載の表示デバイス。
【請求項５】
前記起動要素（３６）は第１及び第２の位置の間で前後に移動可能であり、前記第１及び第２の位置の間の移動が前記表示要素（３５）の回転送りを引き起こし、前記起動要素（３６）は、該起動要素（３６）が前記阻止部分（６１）で前記挿入開口部（５４）を遮断する第３の位置に移動可能であることを特徴とする請求項３又は請求項４に記載の表示デバイス。
【請求項６】
前記表示デバイス（２５）は、伝達部（４０）を含み、前記起動要素（３６）は前記伝達部（４０）を介して前記表示要素（３５）を回転送りすることを特徴とする請求項１から請求項５のいずれか１項に記載の表示デバイス。
【請求項７】
ネブライザ（１）に挿入可能な容器（３）であって、
前記容器（３）は、流体（２）を収容し、
前記容器（３）は、前記容器（３）を用いて実施されたか又は依然として可能な使用回数を表示するための表示デバイス（２５）を含み、
前記表示デバイス（２５）は、前記容器（３）を用いて実施されたか又は依然として可能な使用回数を表示するための表示要素（３５）と、該表示要素（３５）の回転送りを引き起こす起動要素（３６）とを含み、
予め決められた使用回数が前記容器（３）によって到達されたか又は超過された時に、前記表示デバイス（２５）は、前記容器（３）が前記ネブライザ（１）での更なる使用に対してロックされるロック状態に入ることができ、
前記表示デバイス（２５）はハウジング（３１）を含み、
前記表示デバイス（２５）は前記容器（３）のベース（２１）に固定的に配置され、
前記ハウジング（３１）は、前記ネブライザの駆動部分（５２）によって前記起動要素（３６）が起動されて前記表示要素（３５）が回転送りされるように、前記駆動部分（５２）が通って入る挿入開口部（５４）を含み、
前記表示デバイス（２５）は、前記ロック状態で前記挿入開口部（５４）を遮断する阻止部分（６１）を含む、
ことを特徴とする容器（３）。
【請求項８】
前記阻止部分（６１）は、前記表示要素（３５）を回転送りするための起動アーム（３８）と接続されることを特徴とする請求項７に記載の容器。
【請求項９】
前記阻止部分（６１）は、直線的に移動可能であることを特徴とする請求項７又は請求項８に記載の容器。
【請求項１０】
前記表示デバイス（２５）は、請求項１から請求項６のいずれか１項に従って構成されることを特徴とする請求項７から請求項９のいずれか１項に記載の容器。
【請求項１１】
流体（２）を噴霧するように適合されたネブライザ（１）であって、
前記流体（２）を収容する取替可能容器（３）と、
前記容器（３）が受け入れられるネブライザハウジング（２４）と、
前記容器（３）を取り替えるように、前記ネブライザハウジング（２４）から取り外される又は開くことができるハウジング部分（１８）と、
前記容器（３）を用いて実施されたか又は依然として可能な使用回数を表示するための表示デバイス（２５）と、を含み、
前記表示デバイス（２５）は、前記容器（３）を用いて実施されたか又は依然として可能な使用回数を表示するための表示要素（３５）と、該表示要素（３５）の回転送りを引き起こす起動要素（３６）とを含み、
予め決められた使用回数が前記容器（３）によって到達されたか又は超過された時に、前記表示デバイス（２５）は、前記容器（３）が前記ネブライザ（１）での更なる使用に対してロックされるロック状態に入ることができ、
前記表示デバイス（２５）はハウジング（３１）を含み、
前記表示デバイス（２５）は前記容器（３）のベース（２１）に固定的に配置され、
前記表示デバイス（２５）のハウジング（３１）は、挿入開口部（５４）を含み、
前記ネブライザ（１）は駆動部分（５２）を備え、前記駆動部分（５２）は前記表示要素（３５）を回転送りする前記起動要素を起動するために、前記挿入開口部（５４）を通って入ることができるように配置され、
前記表示デバイス（２５）は、前記ロック状態で前記挿入開口部（５４）を遮断する阻止部分（６１）を含む、
ことを特徴とするネブライザ（１）。
【請求項１２】
前記表示デバイス（２５）は、前記ネブライザ（１）内で前記容器（３）と共に軸線方向に又は前後に移動可能であることを特徴とする請求項１１に記載のネブライザ。
【請求項１３】
前記駆動部分（５２）は前記ハウジング部分（１８）に配置されることを特徴とする請求項１１又は請求項１２に記載のネブライザ。
【請求項１４】
前記挿入開口部（５４）は、該挿入開口部（５４）が遮断されていないときに前記ネブライザ（１）の前記駆動部分（５２）の挿入を可能にすることを特徴とする請求項１１から請求項１３のいずれか１項に記載のネブライザ。
【請求項１５】
前記阻止部分（６１）は、前記ロック状態で、前記挿入開口部（５４）を通った前記駆動部分（５２）の挿入を阻止することを特徴とする請求項１１から請求項１４のいずれか１項に記載のネブライザ。
【請求項１６】
前記表示デバイス（２５）は、前記容器（３）と分離不能に接続されるが、それが該容器（３）と共に取替可能であるように前記ネブライザハウジング（２４）及びハウジング部分（１８）から分離可能であることを特徴とする請求項１１から請求項１５のいずれか１項に記載のネブライザ。
【請求項１７】
前記表示デバイス（２５）は、請求項１から請求項６のいずれか１項に従って構成されることを特徴とする請求項１１から請求項１６のいずれか１項に記載のネブライザ。
【請求項１８】
前記容器（３）は、請求項７から請求項９のいずれか１項に従って構成されることを特徴とする請求項１１から請求項１７のいずれか１項に記載のネブライザ。
【発明の詳細な説明】
【技術分野】
【０００１】
本発明は、請求項１、５、１０、又は１６の前段部に記載のネブライザ、請求項２０の前段部に記載の表示デバイス、及び請求項２５又は２８の前段部に記載の容器に関する。
【背景技術】
【０００２】
ＷＯ  ２０１２／１６２３０５  Ａ１は、ネブライザを開示している。容器は、ネブライザのハウジングの中に挿入することができる。ハウジングは、下側ハウジング部分によって閉じられる。ハウジング部分を回転させることにより、駆動バネを引張下に置くことができ、流体を圧力発生器の圧縮チャンバ内に吸い込むことができる。同時に、容器は、ネブライザ内の行程移動で下側ハウジング部分内に移動され、初めて引張された時に、容器は、下側ハウジング部分内の穿孔要素によってそのベースを通して穿孔され、容器の通気を可能にすることができる。ボタンを手動で押圧した後に、駆動バネは、流体が駆動バネによって加圧下に置かれ、かつ推進剤ガスを使用せずにエアロゾルとしてノズルを通してマウスピースの中に送出又は噴霧されるように、解除されて送出チューブを圧力チャンバの中に移動する。すなわち、容器は、噴霧される流体の搬送中及び圧力発生及び噴霧中に前後に軸線方向に移動している。
【０００３】
輸送状態で容器を移動不能に保持するための輸送ロックを形成する固定デバイスによって、容器はハウジング部分と分離不能に接続される。
【０００４】
ネブライザは、実施されたか又は依然として実施可能な使用回数を計数し、及び／又は示すための表示デバイスを含む。表示デバイスは、予め決められた使用回数が現在の容器によって到達されるか又は超過された時にロック状態で更なる使用を阻止する。次に、容器は、ハウジング部分と共に取り替えることができ、ネブライザは、新しい容器と共に更に使用することができる。
【０００５】
ＵＳ  ７，８２３，５８４  Ｂ２は、計数デバイスをハウジング部分から分離不能である容器と共に交換可能又は取替可能であるハウジング部分に一体化することができる類似のネブライザを開示している。
【０００６】
ＷＯ  ２００７／１０４６９４  Ａ１は、表示要素を駆動するためのウォーム歯車を含むことができる表示デバイスを有する粉末状物質のための吸入器を開示している。
【先行技術文献】
【特許文献】
【０００７】
【特許文献１】ＷＯ  ２０１２／１６２３０５  Ａ１
【特許文献２】ＵＳ  ７，８２３，５８４  Ｂ２
【特許文献３】ＷＯ  ２００７／１０４６９４  Ａ１
【特許文献４】ＷＯ  ９６／０６０１１  Ａ１
【特許文献５】ＷＯ  ２００９／０３７０８５  Ａ１
【特許文献６】ＷＯ  ２００９／１１５２００  Ａ１
【特許文献７】ＥＰ  ２，６１４，８４８  Ａ１
【発明の概要】
【発明が解決しようとする課題】
【０００８】
本発明の目的は、簡単な及び／又はセキュアな作動及び取り扱い、及び／又は小型の及び／又は信頼できる構成を可能にするネブライザ、並びにネブライザのための表示デバイス及び容器を、好ましくは同時にネブライザのいかなるハウジング部分の取替もなしに容器の取替を可能にしながら、提供することである。
【課題を解決するための手段】
【０００９】
上記の目的は、請求項１、５、１０、又は１６によるネブライザにより、請求項２０による表示デバイスにより、又は請求項２５又は２８による容器によって達成される。好ましい実施形態は、従属請求項の主題である。
【００１０】
本発明は、流体、好ましくは液体薬剤を、流体を収容する好ましくは取替可能な容器から噴霧するためのネブライザに関し、かつ容器に関する。好ましくは、表示デバイスは、容器を用いてすでに実施されたか又は依然として可能な使用回数を計数する及び／又は表示するために提供される。
【００１１】
特に、表示デバイス又は関連のロッキングデバイスは、容器及び／又はネブライザをロックすることができ、又はそれぞれの容器を用いた予め決められた使用回数が到達されたか又は超過された時にロック状態で更なる使用に対して、容器及び／又はネブライザのロッキングを引き起こすことができる。
【００１２】
好ましくは、ネブライザは、容器を取り替えるためにネブライザから取り外す又は開くことができるハウジング部分を含む。
【００１３】
本発明の１つの態様により、表示デバイスは、好ましくは、ロック状態で及び／又はロック状態が到達された時にネブライザ及び／又はハウジング部分を少なくとも部分的に開くか又はその少なくとも部分的開放を引き起こすようになっており、及び／又は表示デバイスは、ロック状態でネブライザ及び／又はハウジング部分の完全な閉鎖を防止するようになっている。特に、これは、非常に小型かつ簡単な構成、及び／又はセキュアな作動を可能にする。好ましくは、必要な部品及び構成要素の数を最小にすることができる。特に、これは、直感的取り扱いをサポートする。
【００１４】
本発明の更に別の態様により、表示デバイスは、ロック状態でネブライザとの又はネブライザハウジング及び／又はハウジング部分との容器の完全なアセンブリを阻止する。特に、これは、非常に小型かつ簡単な構成、及び／又はセキュアな作動を可能にする。好ましくは、必要な部品及び構成要素の数を最小にすることができる。特に、これは、直感的な取り扱いをサポートする。
【００１５】
本発明の別の態様により、表示デバイスは、好ましくは、ロック状態でネブライザ及び／又はハウジング部分内への容器の完全挿入を阻止するようになっている。これは、非常に小型かつ簡単な構成、及び／又はセキュアな作動を可能にする。好ましくは、これは、直感的な取り扱いをサポートする。好ましくは、これは、すでに使用された容器の再利用又は再挿入を防止し、従って、非常に簡単な及びセキュアな構成を可能にする。
【００１６】
本発明の更に別の態様により、表示デバイスは、好ましくは、ロック状態でネブライザ内の容器の完全軸線方向又は行程状（stroke-like）可動性を阻止するようになっている。これは、非常に小型かつ簡単な構成を可能にする。好ましくは、必要な部品及び構成要素の数を最小にすることができる。更に、これはセキュアな作動を可能にする。
【００１７】
好ましくは、特にそれぞれの容器を用いて予め決められた使用回数が到達されるか又は超過されたことを表示デバイスが検出した時に、ネブライザ及び／又は容器は、ロック状態でそれ以上使用することはできない。
【００１８】
表示デバイスは、更なる使用に対してネブライザ及び／又は容器のロッキングを直接的に又は間接的にロックするか、又それを開始又はトリガすることができる。特に、表示デバイスは、ロッキングデバイスを直接的に起動するか又はロッキングデバイスの起動を間接的に開始することができる。好ましくは、現在の容器との更なる使用に対してネブライザをロックするために、間接起動が、ネブライザ又はそのハウジング又はハウジング部分の少なくとも部分開放を使用して又はそれを通じて実現される。
【００１９】
好ましくは、ネブライザは、ネブライザハウジング又はハウジング部分が少なくとも部分的に開いているか、又は開いている場合に、又は言い換えるとネブライザ又はそのハウジングが（完全に）閉じていない時に更なる使用又は引張に対して（自動的に）阻止される。
【００２０】
表示デバイスがロック状態に入った時に、ネブライザが更なる使用に対して直ちに阻止されないということも可能である。これに代えて、表示デバイスは、ロッキングデバイスが更なる使用に対して、例えば、次の起動又は引張中などに対してネブライザを阻止しようとすることをそのロック状態で開始する又は引き起こす又はトリガすることができる。すなわち、ロッキングデバイスは、後で、例えば、ネブライザの少なくとも部分開放及び／又はネブライザの少なくとも部分引張又はネブライザのハウジング部分又は内側部分の回転などの後でそのロック状態に入ることができる。
【００２１】
従って、ネブライザの阻止（ブロッキング）は、間接的にだけでなく、これに代えて又はこれに加えて、後の更なる取り扱い、作動、又は起動中などにも表示デバイスによって開始又は引き起こすことができる。後者の場合に、表示デバイスは、同じく好ましくは本発明の意味において、更なる使用に対してネブライザ及び／又は容器を阻止するか、又はその阻止を開始又は引き起こす。
【００２２】
好ましくは、更なる使用に対するネブライザのロッキングは、まだ使用されていないものに対して特に表示デバイスを含む容器を取り替えることによって打ち勝つことができる。
【００２３】
本発明の別の態様により、表示デバイスは、好ましくは、表示デバイスが容器と共に取替可能であるように、容器と又は容器の容器ハウジングと分離不能に接続されるが、ネブライザ又はそのハウジングから及びハウジング部分からは分離可能である。これは、別の表示デバイスを含む別の容器とのネブライザ及びハウジング部分の再使用を可能にする。すなわち、交換される構成要素の全体サイズは、取替パッケージのサイズを縮小して多数のパッケージの輸送が容易になるように小さく保たれる。
【００２４】
好ましくは、表示デバイスは、容器の底部及び／又は容器の出口の反対側に固定的に配置される。これは、非常に小型の構成を可能にする。更に、表示デバイスは、ネブライザへの容器の流体的接続に干渉せず、又はその逆も同じである。
【００２５】
本発明の更に別の態様により、表示デバイスは、好ましくは、表示デバイスの計数又は表示を駆動、起動、又はトリガするために駆動部分のための挿入開口部を含み、表示デバイスは、予め決められた使用回数が到達されたか又は超過された時にロック状態で挿入開口部を遮断又は閉鎖するようになっている。特に、これは、非常に小型の又は簡単な構成を可能にし、及び／又はセキュアな作動をサポートする。
【００２６】
好ましくは、表示デバイスは、表示要素と表示要素を回転送りするための起動要素とを含む。特に、表示要素は、それぞれの容器を用いてすでに実施されたか又は依然として可能な使用回数を表示する。
【００２７】
好ましくは、起動要素の線形移動は、表示要素の回転移動を引き起こす。
【００２８】
更により好ましくは、起動要素は、表示デバイスを有する容器とネブライザのハウジング及び／又はハウジング部分との間の相対長手方向移動によって運動に入れられる。
【００２９】
本発明の別の態様により、表示デバイス内の起動要素は、好ましくは、ロック状態で容器の更なる使用を阻止するようにも構成される。特に、これは、非常に小型かつ簡単な構成、及び／又はセキュアな作動を可能にする。好ましくは、必要な部品及び構成要素の数を最小にすることができる。
【００３０】
本発明の更に別の態様により、起動要素は、好ましくは、表示要素を回転送りするために第１及び第２の位置の間で前後に移動可能であり、かつロック状態で容器の更なる使用を阻止する第３の位置へと少なくとも又は一度だけ移動可能である。特に、これは、非常に小型かつ簡単な構成、及び／又はセキュアな作動を可能にする。好ましくは、必要な部品及び構成要素の数を最小にすることができる。
【００３１】
本発明の別の態様により、起動要素は、好ましくは、容器又はネブライザの長手方向又は小出し方向に対して横断方向に移動可能である。特に、これは、非常に小型かつ簡単な構成、及び／又はセキュアな作動を可能にする。好ましくは、必要な部品及び構成要素の数を最小にすることができる。
【００３２】
好ましくは、表示デバイスは、ロック状態で容器及び／又はネブライザの更なる使用を阻止する阻止部分を含む。
【００３３】
本発明の別の態様により、阻止部分は、好ましくは、起動要素によって形成され又はこれと一体的に作られる。特に、これは、非常に小型かつ簡単な構成、及び／又はセキュアな作動を可能にする。好ましくは、必要な部品及び構成要素の数を最小にすることができる。
【００３４】
本発明の別の態様により、阻止部分は、好ましくは、表示デバイスのハウジングに一体化される。特に、これは、非常に小型かつ簡単な構成、及び／又はセキュアな作動を可能にする。好ましくは、必要な部品及び構成要素の数を最小にすることができる。
【００３５】
本発明の更に別の態様により、阻止部分は、好ましくは、容器又はネブライザの長手方向又は小出し方向に対して横断方向に移動可能である。特に、これは、非常に小型かつ簡単な構成、及び／又はセキュアな作動を可能にする。好ましくは、必要な部品及び構成要素の数を最小にすることができる。
【００３６】
本発明の更に別の態様により、阻止部分は、好ましくは、ロック状態で表示デバイス又はそのハウジングの挿入開口部を閉鎖する。特に、アンロック状態において、挿入開口部は、ネブライザのハウジング又はハウジング部分に取り付けられた駆動部分を受け入れるためのものであり、その結果、表示器ハウジング及び／又は容器とネブライザハウジングとの間の相対移動時に、駆動部分は、特にネブライザの使用が表示デバイスにおいて計数される及び／又は示されるように表示デバイスを起動する。特に、これは、非常に小型かつ簡単な構成、及び／又はセキュアな作動を可能にする。好ましくは、必要な部品及び構成要素の数を最小にすることができる。
【００３７】
本発明の他の又は更に別の態様により、阻止部分は、好ましくは、ロック状態でネブライザのロッキングデバイス又はそのロッキング要素を起動する。この起動は、ロッキングデバイス又はそのロッキング要素の場合に阻止部分のそれぞれの協働によって直接的に、又はこれに代えて、特にロッキングデバイス又はそのロッキング要素の起動をもたらすネブライザの開放又は表示デバイスなどの挿入開口部の閉鎖によって間接的に実現することができる。すなわち、更なる使用、特に、流体の更なる小出し又は噴霧は、ロック状態で防止又は阻止することができる。
【００３８】
本発明の上記態様及び以下に説明する更に別の態様は、互いに独立にかつあらゆる組合せに実現することができる。
【００３９】
本発明の更に別の利点、特徴、特性、及び態様は、特許請求の範囲及び図面を参照する好ましい実施形態の以下の説明から明らかになるであろう。
【図面の簡単な説明】
【００４０】
【図１】非引張状態の公知のネブライザの概略断面図である。
【図２】引張状態の公知のネブライザの図１と比較して９０°回転した概略断面図である。
【図３】本発明の好ましい実施形態による非引張状態の挿入された容器を有するネブライザの概略断面図である。
【図４】図３の丸で囲まれた部分の部分拡大図である。
【図５】図３によるネブライザの断面の斜視図である。
【図６】図５の丸で囲まれた部分の拡大図である。
【図７】本発明の好ましい実施形態による表示デバイスの概略分解組立図である。
【図８】起動状態の表示デバイスの軸線方向断面図である。
【図９】ロック状態の表示デバイスの軸線方向断面図である。
【図１０】起動状態の表示デバイスの断面斜視図である。
【図１１】解除状態の表示デバイスの断面斜視図である。
【図１２】図４に類似しているが部分引張状態のネブライザの部分拡大図である。
【図１３】図４に類似しているが完全引張状態のネブライザの部分拡大図である。
【図１４】図４に類似しているが小出し行程中の中間状態のネブライザの部分断面図である。
【図１５】図４に類似しているがロック状態の容器の表示デバイスを有するネブライザの部分断面図である。
【図１６】部分的に開いたハウジング部分とロックしたロッキングデバイスとの次の引張後のロック状態のネブライザの概略断面図である。
【図１７】図１３の丸で囲まれた部分の部分拡大図である。
【図１８】アンロックされたロッキングデバイスを有する図３に類似のネブライザの概略断面図である。
【図１９】修正実施形態による初期状態の表示デバイスの概略断面図である。
【図２０】図１９による表示デバイスの斜視断面図である。
【発明を実施するための形態】
【００４１】
図において、同じ参照番号は、同一又は類似の部品に使用され、好ましくは、関連の説明を繰り返さない場合でも対応するか又は同等の特性及び利点をもたらす。
【００４２】
図１及び２は、流体２、特に、非常に有効な医薬組成物又は薬剤などを噴霧するための公知のネブライザ１を非引張状態（図１）及び引張状態（図２）で図式的に示している。ネブライザ１は、特に携帯用吸入器として構成され、好ましくは、機械的にのみ及び／又は推進剤ガスなしで作動する。
【００４３】
流体２、好ましくは、液体、特に、医薬組成物を噴霧する時に、エアロゾル１４（図１）が形成又は小出しされ、これをユーザが吸い込み又は吸入することができる。一般的に、患者が罹っている症状又は病気に応じて少なくとも１日１回、特に、１日数回、好ましくは、設定された間隔で吸入を行う。
【００４４】
ネブライザ１には、流体２を収容する挿入可能又は取替可能な容器３が備えられるか又はそれを含む。従って、容器３は、噴霧される流体２のためのリザーバを形成する。好ましくは、容器３は、２００までの投薬単位又は投薬量を提供し、例えば、すなわち、２００までの噴霧又は適用を可能にするのに特に十分な複数の投薬量の流体２又は活性物質を収容する。ＷＯ  ９６／０６０１１  Ａ１において開示するような典型的な容器３は、例えば、約２〜２０ｍｌの容積を保持する。
【００４５】
更に、容器３に収容される投与数及び／又は容器３に収容される流体２の全容積は、流体２又はそれぞれの薬剤に応じて及び／又は容器３に応じて及び／又は必要な薬物療法などに応じて異なる場合がある。
【００４６】
好ましくは、容器３は、取り替える又は交換することができ、ネブライザ１の全使用回数及び従って同じネブライザ１と共に使用することができる容器３の数は、例えば、容器３の合計で４個又は５個に制限することが好ましい。ＷＯ  ２０１２／１６２３０５  Ａ１は、更に、同じネブライザ１と共に使用することができる容器３の総数をそのように制限することを開示している。
【００４７】
容器３は、好ましくは、実質的に円筒形又はカートリッジ形であり、ネブライザ１が開かれた状態で、容器３は、好ましくは、下からその中に挿入され、必要に応じて交換することができる。それは、剛性構造であることが好ましく、特に流体２は、容器３内の圧潰バッグ４に保持されている。特に、容器３は、最初に使用する前又はその使用中に開いている通気開口部又は孔２３を含む。
【００４８】
ネブライザ１は、送出機構、好ましくは、特に事前設定されたかつ任意的に調節可能な投与量の流体２を搬送及び噴霧するための圧力発生器５を含む。
【００４９】
ネブライザ１又は圧力発生器５は、好ましくは、容器３を解除可能に保持するためのホルダ６、単に部分的に示すホルダ６に関連付けられた駆動バネ７、及び／又は好ましくは手動起動又は押し下げのためのボタンの形態の又はそれを有する阻止要素８を含む。阻止要素８は、ホルダ６を捕捉して阻止（ブロック）することができ、かつ手動で作動されてホルダ６を解除して駆動バネ７を拡張することを可能にすることができる。
【００５０】
ネブライザ１又は圧力発生器５は、好ましくは、搬送チューブ９のような搬送要素、逆止弁１０、マウスピース１３の中に流体２を噴霧するための圧力チャンバ１１及び／又はノズル１２を含む。
【００５１】
完全に挿入された容器３は、搬送要素が容器３をネブライザ１又は圧力発生器５に流体的に接続するように、ホルダ６を通じてネブライザ１に固定又は保持される。好ましくは、搬送チューブ９は、容器３内に貫通する。
【００５２】
ネブライザ１又はホルダ６は、好ましくは、容器３を交換することができるように構成される。
【００５３】
駆動バネ７が引張工程において軸線方向に引張された時に、容器３を有するホルダ６及び搬送チューブ９は、図面内では下向きに移動し、流体２は、容器３から吸い出されて逆止弁１０を通じて圧力発生器５の圧力チャンバ１１に入る。この状態において、ホルダ６は、駆動バネ７が圧縮されたままになるように阻止要素８によって捕捉される。そして、ネブライザ１は、引張状態にある。
【００５４】
阻止要素８の起動又は押圧後の噴霧工程におけるその後の弛緩中に、圧力チャンバ１１中の流体２は、この時点で閉じたその逆止弁１０を有する搬送チューブ９が、駆動バネ７の弛緩又は力によってここでは図面で上方に圧力チャンバ１１に移動して戻り、かつこの時点で押圧ラム又はピストンとして作用する時に加圧下に置かれる。この圧力が流体２をノズル１２を通じて強制的に送り出すと直ちに、それは、図１に示すようにエアロゾル１４の中に噴霧され、従って、小出しされる。
【００５５】
一般的に、ネブライザ１は、流体２に対して５〜２００ＭＰａ、好ましくは、１０〜１００ＭＰａのバネ圧で及び／又は１行程当たり１０〜５０μｌ、好ましくは、１０〜２０μｌ、最も好ましくは、約１５μｌの送出される流体２の容積で作動する。流体２は、エアロゾル１４に変換されるか又はエアロゾル１４として噴霧され、その液滴は、２０μｍまで、好ましくは、３〜１０μｍの空気動力学的直径を有する。好ましくは、発生するジェット噴霧は、２０°〜１６０°、好ましくは、８０°〜１００°の角度を有する。それらの値はまた、特に適切な値として本発明の教示によるネブライザ１にも当て嵌まる。
【００５６】
ユーザ又は患者（図示せず）は、好ましくは、供給空気を少なくとも１つの任意的な供給空気開口部１５を通じてマウスピース１３内に吸い込みながらエアロゾル１４を吸入することができる。
【００５７】
ネブライザ１は、好ましくは、ハウジング２４及び／又は（上側）ハウジング部分１６、及び好ましくはそれに対して回転可能であり（図２）及び／又は上側部分１７ａ及び下側部分１７ｂ（図１）を有する任意的な付勢又は内側部分１７を含む。
【００５８】
ネブライザ１又はハウジング２４は、好ましくは、（下側）ハウジング部分１８を含む。この部分１８は、好ましくは、保持要素１９を使用して特に手動で作動可能及び／又は解除可能に固定され、特に内側部分１７の上に装着又は保持される。
【００５９】
好ましくは、ハウジング部分１６及び１８及び／又は他の部分は、ネブライザ１のハウジング２４を形成する。
【００６０】
容器３を挿入及び／又は取え替るために、好ましくは、ハウジング２４を開くことができ、及び／又はハウジング部分１８は、ネブライザ１、内側部分１７、又はハウジング２４から取り外すことができる。
【００６１】
一般的にかつ好ましくは、容器３は、ハウジング２４を閉じる前及び／又はハウジング部分１８をハウジング２４に接続する前に挿入することができる。容器３は、ハウジング部分１８をハウジング２４／ネブライザ１に（完全に）接続する時及び／又はハウジング２４／ネブライザ１を（完全に）閉じる時に、自動で又は同時に送出機構に挿入され、開かれ、及び／又は流体的に接続することができる。好ましくは、容器３は、現在の容器を用いて最初にネブライザ１を引張する時に開かれるか又は流体的に接続される。
【００６２】
好ましくは、ネブライザ１又は駆動バネ７は、特に、起動部材の起動により、ここでは好ましくはハウジング部分１８又はいずれかの他の構成要素を回転させることにより、手動で起動又は引張又は装填することができる。
【００６３】
起動部材、好ましくは、ハウジング部分１８は、起動させて、ここでは上側ハウジング部分１６に対して回転させてそれを担持するか又は内側部分１７を駆動することができる。内側部分１７は、歯車又は伝達部に作用して回転を軸線方向移動に変換する。その結果、内側部分１７、特にその上側部分１７ａとホルダ６の間に形成されてホルダ６に作用する歯車又は伝達部（図示せず）を使用して、駆動バネ７を軸線方向に引張する。引張中に、容器３は、図２に示すように、容器３が端部位置を有するまで軸線方向下向きに移動する。この起動又は引張状態において、駆動バネ７は引張下にあり、阻止要素８によって捕捉又は保持することができる。噴霧工程中に、容器３は、駆動バネ７（の力）によって移動してその元の位置（図１に示す非引張位置又は状態）に戻る。従って、容器３は、引張工程中及び噴霧工程中に持ち上げ又は行程（ストローク）移動を実行する。
【００６４】
ハウジング部分１８は、好ましくは、キャップ状下側ハウジング部分を形成し、及び／又は容器３の下側自由端部分の周り又はその上に適合する。駆動バネ７を引張すると、容器３は、その端部部分と共に（更に）ハウジング部分１８の中に又はその端面に向けて移動するが、ハウジング部分１８に配置された軸線方向に作用するバネ２０のような通気手段は、容器３のベース２１と接触状態になり、容器３がそれと最初に接触する時に、容器３又はその上のベースシール又はホイル５０を穿孔要素２２で穿孔し、好ましくは、通気孔２３を開放又は穿孔することによって空気進入又は通気を可能にする。通気孔２３は、ネブライザ１の起動中に容器３から流体２を引き込む時に、容器３の内側の圧力補償を可能にする。
【００６５】
ネブライザ１は、好ましくはネブライザ１の引張又は上側部分１６又はハウジング２４に対する内側部分１７の引張又は回転を検出することにより、特にネブライザ１の起動を計数する表示デバイス２５を含むことが好ましい。好ましくは、計数デバイス２５又は関連のロッキングデバイス２５は、（更なる）起動又は使用に対してネブライザ１をロックし、例えば、ハウジング部分１８／内側部分１７の更なる回転、従って、ネブライザ１又はその駆動バネ７の引張を阻止し、及び／又はある一定数の起動又は作動又は放出投薬量が到達されるか又は超過された時に、ロック状態で阻止要素８の起動を阻止する。
【００６６】
以下の更に別の図においてかつそれらを参照すると、ネブライザ１、容器３、表示デバイス２５、及び／又はロッキングデバイス２６の好ましい実施形態が、本発明により説明されかつ図示されており、最も重要な態様及び差異を以下に説明し、以前の態様、特徴、及び説明は、好ましくは、繰り返さなくてもそれに加えて又は相応に適用される。
【００６７】
図３は、完全に閉じたネブライザハウジング２４、従って、閉じたハウジング部分１８と共に、概略断面（長手方向断面）で非引張状態の本発明による容器３及び表示デバイス２５を有するネブライザ１を示し、提案する表示デバイス２５を含む容器３は、ネブライザ１及び／又はハウジング２４に挿入されるか又はその内部に受け入れられる。
【００６８】
図４は、図３の丸で囲まれた部分の拡大部分断面を示している。図５は、図３のネブライザ１の断面の斜視図である。図６は、図５の丸で囲まれた部分の部分拡大図を示している。
【００６９】
ネブライザ１は、好ましくは、軸線方向及び／又は主小出し方向及び／又は引張及び小出し中の容器３の行程移動に対応する細長い形態又は軸線を有する。
【００７０】
図示の非引張状態において、ネブライザ１又はそのマウスピース１３は、好ましくは、マウスピースカバー２７によって閉じられる。マウスピースカバー２７は、好ましくは、ピボット回転可能であり、ネブライザ１を使用するためのマウスピース１３の開口を可能にする。
【００７１】
好ましくは、表示デバイス２５は、容器３に直接に及び／又は解除不能に取りつけられるか又はそれに接続される。特に、表示デバイス２５は、それぞれの容器３に関連付けられる。ネブライザ１の容器３が取り替えられる場合に、表示デバイス２５も必ず又は能動的に取り替えられる。
【００７２】
好ましくは、表示デバイス２５は、容器３の底部又は容器ベース２１に、及び／又は容器３の出口又はヘッド２８の反対側に固定的に配置される。
【００７３】
好ましい実施形態において、表示デバイス２５は、好ましくは、容器３の外側ケース又は好ましくは剛性ハウジング２９に直接に接続されるか又はそこに当接される。
【００７４】
好ましくは、表示デバイス２５及び容器３は、形状適合により及び／又はスナップ式に接続される。
【００７５】
特に、表示デバイス２５は、容器３の（下側又は底部）縁部３０及び／又はいずれかの他の突起などにわたって取り囲み及び／又は把持する。本発明の実施形態において、縁部３０は、それが、容器３／容器ハウジング２９の側壁の本質的に円筒形の外形にわたって半径方向に突出するように僅かに広い直径である。
【００７６】
表示デバイス２５の直径は、好ましくは、容器３又はその縁部３０の直径に少なくとも本質的に等しいか又は僅かにこれよりも大きい。
【００７７】
縁部３０は、好ましくは、容器３又は容器ハウジング２９の側壁と底部又はベース２１との間に形成される。好ましくは、縁部３０は、フランジをつけるか、境界を付けるか、曲げるか、又は圧着することによって又はいずれかの他の適切な材料変形工程によって形成される。
【００７８】
表示デバイス２５は、ハウジング３１を含み、及び／又は好ましくは少なくとも本質的に円筒形形態を有する。
【００７９】
表示デバイス２５又はそのハウジング３１は、好ましくは、少なくとも本質的に平坦及び／又は軸線方向側で容器３又はそのベース２１又はハウジング２９に取りつけられる。
【００８０】
表示デバイス２５又はそのハウジング３１は、好ましくは、表示デバイス２５を容器３と接続するための保持又は把持セクション３２を含む。好ましくは、把持セクション３２は、縁部３０を取り囲み、及び／又は縁部３０の周り又はそれにわたって把持する。
【００８１】
本実施形態において、把持セクション３２は、好ましくは、環状であり、及び／又は縁部３０又は容器３の円周にわたって分散された位置で縁部３１にわたって把持する。
【００８２】
好ましくは、表示デバイス２５及び容器３は、互いにスナップ式又はクリック接続によって接続される。好ましくは、容器３及び表示デバイス２５は、一方の部品を他方の上に軸線方向にスナップ結合することによって互いに接続される。
【００８３】
好ましくは、把持セクション３２は、容器３がその縁部３０と共に軸線方向に入ることができるように半径方向に十分に弾性である。本発明の実施形態において、把持セクション３２は、好ましくは、それぞれ傾斜した挿入面を含み、環状把持セクション３２の中に又は周方向に分散された把持セクション３２の間への縁部３０の挿入を容易にする。
【００８４】
他の構成的ソリューションが容器３又はそのハウジング２９を表示デバイス２５又はそのハウジング３１と接続するために実施可能であり、又はその逆も可能であることに注意しなければならない。特に、２つの部品は、これ加えて又はこれに代えて、溶接、ろうつけ、接着、ねじ込み、クランピング、又はホットプレスなどによって互いに接続することができる。
【００８５】
図７は、本発明の好ましい実施形態による表示デバイス２５を概略分解組立図に示している。
【００８６】
表示器又はそのハウジング３１は、好ましくは、上側部分３３及び下側部分３４を含む。
【００８７】
好ましくは、上側部分３３は、把持セクション３２を保持又は形成する。
【００８８】
表示デバイス２５は、好ましくは、表示要素３５及び関連の起動要素３６、及び／又は表示要素３５を回転送り（インデクシング、indexing）するために又は表示要素３５の回転送りを引き起こすための伝達部４０又は歯車４１を含む。
【００８９】
表示デバイス２５は、それぞれの又は関連の容器３を用いて実施されたか又は依然として実施可能な使用回数を計数し、及び／又はそれを示すためのものである。好ましくは、表示要素３５は、それぞれの容器３を用いて既に実施されたか又は依然として実施可能な使用回数を少なくとも略示するために、１又は２以上の記号、数字、着色、又は陰影区域などのいずれかのマーキング３７を含む。本発明の実施形態において、表示要素３５は、好ましくは、回転可能であり、及び／又は少なくとも１つのマーキング３７を有する周方向壁又は外面を含む。
【００９０】
表示器ハウジング３１は、好ましくは、窓３１ａを含み、特に関連付けられたマーキング３７を通じて周方向壁において、好ましくは、特に透明なハウジング部分１８を通じてユーザ又は患者に見える。
【００９１】
起動要素３６は、好ましくは、起動アーム３８を含み、これは、次に、好ましくは、表示要素３５の直接又は間接起動又は回転送りのための自由又は起動端３９を含む。回転送りは、表示要素３５が一定分又は段階的に前方に移動されることを意味する。
【００９２】
好ましいのは、起動要素３６又はそのアーム３８が伝達部４０を通じて表示要素３５を起動又は駆動するような間接起動又は駆動である。本発明の実施形態において、伝達部４０は、減速をもたらし、及び／又はウォームデバイスとして実現される。
【００９３】
表示デバイス２５又は伝達部４０は、好ましくは、歯車４１及び／又はウォーム４２を含む。最も好ましくは、ウォーム４２は、歯車４１が、ウォーム歯車を形成し、好ましくは、ウォーム４２の少なくとも１つの回旋を形成する半径方向に突出した歯４３を含むように、歯車４１によって直接に形成される（図８及び９に示す装着された表示デバイス２５の水平又は軸線方向断面と比較されたい）。
【００９４】
歯車４１は、好ましくは、心棒、特に、本発明の実施形態で実現するような軸線方向に両側に突出することができる１又は２以上の心棒セクション４４を含む。
【００９５】
起動要素３６は、好ましくは、起動要素３６の移動方向に垂直な軸線の周りの歯車４１の回転を引き起こし、軸線は、好ましくは、起動要素３６の移動によって与えられる平面と同一又はそれと平行の水平面に配置される。
【００９６】
歯車４１は、好ましくは、ハウジング３１又は下側ハウジング部分３４により、好ましくは、下側部分３４の２つの軸受セクション４５によって回転可能に保持される。好ましくは、軸受セクション４５は、心棒セクション４４を回転可能に保持するための凹部を含む。しかし、他の構成的ソリューションも同様に可能である。
【００９７】
ハウジング３１又は下側部分３４は、好ましくは、表示要素３５をそれが回転することができるように担持する。好ましい実施形態において、下側部分３４は、好ましくは、半径方向両側に配置され、表示要素３５を回転可能に担持するために軸線方向に突出した２つの軸受部分４６を含む。起動要素３５及び／又は伝達部４０は、好ましくは、少なくとも本質的には軸受部分４６の間に配置される。
【００９８】
表示デバイス２５は、特に、起動要素３６を好ましい方向に付勢するために及び／又は表示要素３５を駆動するために、好ましくは、起動バネ４７を含む。
【００９９】
図８は、起動状態の装着された表示デバイス２５を水平又は軸線方向断面に示し、ここで起動要素３６は、横向きに、つまり図３〜６に示す第１の位置から始まって図８に示す第２の位置内に左側に向けて移動するか又は押されている。
【０１００】
図９は、ロック状態の表示デバイス２５を図８と類似の断面に示し、ここで起動要素３６は、ロックした第３の位置にある。
【０１０１】
表示要素３５（図８及び９には示さず）の突起６０が軸線方向に延びることは図８及び９から分かり、少なくとも１つの突起６０は、常に、ウォームドライブが歯車４１と表示要素３５の間に形成されるようにウォーム４２に捕捉される。従って、歯車４１のあらゆる回転は、表示要素３５の減速回転に変換される。更に、歯車４１と表示要素３５の間、より正確には少なくとも１つの突起６０とウォーム４２の間で恒久的係合が保証される。しかし、他の構成的ソリューション又は歯車４１と表示要素３５の間の連結が実施可能である。
【０１０２】
図１０は、初期の第１の位置及び状態の装着された表示デバイス２５を斜視断面に示している。図１１は、類似の斜視断面であるが、解除された起動要素３６、すなわち、ロック状態が到達される直前の表示デバイス２５を示している。
【０１０３】
好ましくは、伝達部４０又は歯車４１は、表示要素３５の又はいずれかの他の伝達部構成要素の少なくとも１つの係合要素、特に内向きに又は軸線方向に突出する突起６０が常にウォーム４２において係合するように、少なくとも１つの回旋で、好ましくは、約１．５又はそれよりも多くの回旋でウォーム（螺旋状溝）４２を形成する。従って、その好ましくは横断軸線の周りの歯車４１の回転は、その好ましくは長手方向に向けられた回転軸の周りに表示要素３５の回転をもたらす。しかし、他の構成的ソリューションも同様に可能である。
【０１０４】
好ましくは、歯４３は、突起が歯４３の間でウォーム４２の回旋内に確実に案内され、起動部分３９が望ましい方式で歯車４１を起動又は回転させるように、ウォーム４２の中に係合する突起６０と歯車４１の間で半径方向に依然として移動することができるように比較的長く及び／又は半径方向に十分に延びる。この目的のために、起動部分３９は、それぞれの突出部６０の下を移動することができるように、歯４３の間でそれぞれ深い切欠き部の中に係合することができる。
【０１０５】
表示デバイス２５は、好ましくは、穿孔部分４８を含む（図３〜６と比較されたい）。
【０１０６】
穿孔部分４８は、表示デバイス２５又はそのハウジング３１内に配置される。
【０１０７】
穿孔部分４８は、好ましくは、軸線方向に移動可能である。
【０１０８】
穿孔部分４８は、特に、通気孔２３を覆うホイル５０を破断又は穿孔することにより、それが容器３に向けて突出することができ及び／又は容器３の通気開口部、好ましくは、通気孔２３を開くことができるように移動可能であることが好ましい。
【０１０９】
本発明の実施形態において、穿孔要素４８は、好ましくは、容器ベース２１を覆うホイル５０を開放又は穿孔することができる開放端又は先端４９、特に、容器３又はそのベース２１に形成された窪み５１を含む。好ましくは、窪み５１は、通気孔２３を形成する突破口を含む。しかし、他の構成的ソリューションも同様に可能である。
【０１１０】
図１２は、部分引張後の中間状態のネブライザ１の下側部分を図４に類似の部分拡大図に示している。表示デバイス２５は、図８に示すように起動状態にある（第２の位置）。
【０１１１】
ネブライザ１又はハウジング部分１８は、好ましくは、ネブライザ１を使用する時に表示デバイス２５を駆動又は起動するために、特に、ネブライザ１のあらゆる引張及び／又は容器３のあらゆる（軸線方向又は行程状）移動に応答して表示デバイス２５を起動するための駆動部分５２を含む。
【０１１２】
好ましくは、駆動部分５２は、ハウジング部分１８に、特に、ハウジング部分１８の軸線方向端面又は底部５３上に配置又は形成される。
【０１１３】
好ましくは、駆動部分５２は、中心に配置され、及び／又は軸線方向に延びる。
【０１１４】
好ましくは、駆動部分５２は、少なくとも実質的に円筒形及び／又はピン状又はボルト状である。
【０１１５】
好ましくは、駆動部分５２は、ハウジング部分１８によって保持され、及び／又はハウジング部分１８によって一体的に形成される。
【０１１６】
好ましい実施形態において、容器３の移動、従って、引張（図面では下向き移動）中及び／又は加圧及び小出し（図面では上方移動）中の表示デバイス２５の移動、及び／又はそれぞれ非引張状態及び引張状態のそれぞれの端部位置の一方又は両方の移動は、表示デバイス２５を起動するために、すなわち、計数するために使用することができる。
【０１１７】
好ましくは、ネブライザ１内の容器３及び／又は表示デバイス２５の相対移動、より好ましくは、小出し中の移動は、表示デバイス２５を起動又はトリガ及び／又は計数するために使用される。
【０１１８】
ネブライザ１を引張し、及び／又は表示デバイス２５を下向きに移動する時に、駆動部分２５は、表示デバイス２５又はそのハウジング３１の挿入開口部５４を通じて、特に軸線方向に入り、又は係合する。
【０１１９】
好ましくは、駆動部分５２及び挿入開口部５４は、中心に配置され、及び／又は軸線方向に位置合わせされる。
【０１２０】
好ましい実施形態において、駆動部分５２は、起動要素３６を起動させ、すなわち、図３〜６に示す初期の第１の位置から図９に示す起動された第２の位置に起動要素３６を移動する。
【０１２１】
好ましくは、起動バネ４７は、起動要素３６を第１の位置へと付勢する。
【０１２２】
本発明の実施形態において、起動要素３６は、表示要素３５を回転送りするために、特に、それぞれ表示要素３５を駆動するように一方向に歯車４１を段階的に回転させるために第１及び第２の位置の間で前後に移動可能である。歯車４１のいずれかの回転が表示要素３５の減少回転に変換される時に、第１から第２の位置へ又はその逆の起動要素３６の全ての移動は、従って、表示要素３５の移動をもたらす。
【０１２３】
本発明の実施形態において、起動要素３６は、容器３又はネブライザ１の長手方向又は小出し方向に及び／又は容器３及び／又は表示デバイス２５の行程移動に対して横断方向に、好ましくは、垂直に移動可能である。
【０１２４】
好ましくは、起動要素３６は、より中心の第１の位置から第２の位置まで半径方向外向きに、特に、反対方向に起動要素３６を付勢する関連の好ましくは螺旋状起動バネ４７の力に対して移動する。
【０１２５】
第２の位置で、起動要素３６は、図８及び１２に示すように、歯車４１との係合から出てその起動アーム３８又は起動部分３９と共に移動している。
【０１２６】
図１３は、完全引張状態を図１２と類似の拡大断面に示している。
【０１２７】
（完全）引張状態において、容器３、より正確には通気開口部又は通気孔２３は、少なくともネブライザ１が初めて容器３を用いて引張された時に開かれる。
【０１２８】
好ましくは、通気のための容器３又は通気孔２３の開放は、特にホイル５０の穿孔又は破断によって実現される。
【０１２９】
開口又は穿孔は、駆動部分５２によって直接に達成することができる。これに代えて、開口又は穿孔は、駆動部分５２とは独立に、例えば、図２に示す実施形態と類似の穿孔要素２２を有する通気バネ２０を使用して達成することができる。これに代えて、本発明の実施形態におけるように、開口又は穿孔は、好ましくは、駆動部分５２によって起動されることが好ましい穿孔部分４８を通じて間接的に達成することができる。
【０１３０】
好ましくは、穿孔部分４８は、個別の部品として形成され、及び／又は表示デバイス２５によって提供され、及び／又は表示デバイス２５内に配置される。
【０１３１】
好ましい実施形態において、穿孔部分４８は、図１０及び１１に概略的に示すように、表示デバイス２５、ハウジング３１、上側部分３２、及び／又は表示要素３５の支持構造５５によって軸線方向に移動可能に保持される。
【０１３２】
好ましくは、穿孔部分４８及び／又は支持構造５５は、表示デバイス２５の更に別の部品、例えば、表示要素３５又は表示器ハウジング３１、特に表示器ハウジング３１の上側部分３３との一体構成である。
【０１３３】
好ましくは、穿孔部分４８、支持構造５５、及び表示デバイス２５の更に別の部品は、射出成形工程でプラスチックで作られる。
【０１３４】
好ましくは、支持構造５５は、穿孔部分４８を軸線方向に移動可能に保持するための可撓性アーム又はリブを含む。
【０１３５】
これに代えて、穿孔部分４８は、穿孔先端４９が容器３から非引張状態で後退するように、任意的に容器３から好ましくは離れる長手方向又は軸線方向にバネ付勢された個別の軸線方向に移動可能な部品として構成することができる。
【０１３６】
穿孔部分４８又はその先端４９は、好ましくは、表示デバイス２５又はそのハウジング３１内に受け入れられるが、起動状態において外向きに突出することができることに注意しなければならない。
【０１３７】
開口又は穿孔は、ネブライザ１を引張する度に、すなわち、容器３が引張状態でその端部位置が到達される度に繰り返すことができる。
【０１３８】
穿孔部分４８は、図３〜６に示すその後退又は初期位置に、特に、好ましくは、一体的に形成された付勢アーム又はバネなどにより、好ましくは、支持構造５５によって付勢することができる。
【０１３９】
穿孔部分４８は、軸線方向のあらゆる公差を補償するために可撓性アーム５６のような補償部分を含むことができる。そのような公差は、特に、製造中の変動、特に容器３及び／又は他の構成要素の長さの変動、表示デバイス２５と容器３の接続の変動、表示デバイス２５又はそのハウジング３１の長さの変動、ホルダ６内の容器３の軸線方向位置の変動などにより起こる可能性がある。従って、駆動部分５２の自由端と穿孔部分４８のカウンター面との間に様々な距離が得られる場合がある。この構成は、駆動部分５２及び穿孔部分４８が、望ましい穿孔を保証するようにあらゆる場合に協働するようなものである。
【０１４０】
補償部分は、容器３及び／又はネブライザ１のいずれかの他の構成要素のあらゆる損傷を回避するために、ここではアーム５６の半径方向屈曲により、予め決められた軸線方向力を超える時に軸線方向圧縮を可能にする。従って、好ましい実施形態において、駆動部分５２は、最初に穿孔部分４８を容器ベース２１に向けて穿孔位置内に移動し、駆動部分５２の更なる軸線方向移動は、補償部分により、好ましくは、半径方向外向きに広がっている可撓性アーム５６によって補償され、穿孔部分４８の中心凹部（穿孔先端４９の反対側）に入るために駆動部分５２の先端に取って代わられる。
【０１４１】
穿孔部分４８は、たとえ穿孔部分４８がホイル５０又は穿孔位置に詰まり又は留まる場合でも通気を阻止しないことを保証するために、好ましくは、少なくとも１つの軸線方向チャネル、特に先端４９の円周回りに周方向に配置された１又は２以上の軸線方向に延びる溝５７を含む。
【０１４２】
図１４は、図４、１２、及び１３と同様の拡大図で、加圧又は小出し工程の中間状態、すなわち、容器３が再度部分的に上方に移動した時を示している。この状態において、駆動部分５２は、起動要素３６が起動バネ４７の力によりその初期又は第１の位置に戻り始めるように、部分的に表示デバイス２５から又は挿入開口部５４を通じて引き戻されている。最後に、駆動部分５２の十分な引き戻しの後に、起動要素３６は、戻り移動が完了した時に図３〜６に示す第１の位置に戻る。
【０１４３】
容器３及び／又は起動要素３６の戻り移動は、好ましくは、表示デバイス２５又は歯車４１を起動させ、及び／又は検出又は計数される。特に、起動要素３６又はそのアーム３８又は起動部分３９は、戻り移動又は第２から第１の位置への移動を伝達部４０に伝達する。特に、この移動は、歯車４１の段階的回転を引き起こす。
【０１４４】
従って、本発明の実施形態において、小出し中のネブライザ１内の容器３及び／又は表示デバイス２５の移動は、好ましくは、表示デバイス２５を起動又はトリガするために及び／又は計数するために使用される。
【０１４５】
本発明の実施形態において、起動アーム３８又はその部分３９は、戻り移動中に歯車４１の１つの歯４３に対して当接し、従って、更に１段階の戻り移動により、時計回り方向に図面内で歯車４１を回転させる。
【０１４６】
好ましくは、表示デバイス２５は、伝達部４０又は歯車４１のあらゆる反回転を防止するラチェット５８を含む。本発明の実施形態において、ラチェット５８は、ハウジング３１、特に下側ハウジング部分３４から延び、及び／又は歯車４１又はその歯４３と噛み合うか又はその中に係合する可撓性アームによって形成される。
【０１４７】
端部位置において、すなわち、非引張状態において、駆動部分５２は、好ましくは、図３〜６に示すように、表示デバイス２５、表示器ハウジング３１、及び／又は挿入開口部５４から更に又は完全に後退する。
【０１４８】
伝達部４０又は歯車４１は、起動、特に、起動要素３６又はそのアーム３８／起動部分３９の（後方）移動を表示要素３５の回転送りに変換する。伝達部４０又は歯車４１の伝達比又は伝達関数は、減速又は非線形駆動又は回転送りを達成するように設計又は構成することができる。本発明の実施形態において、伝達部４０又は歯車４１は、好ましくは、望ましい減速を達成するためにウォームドライブを形成する。
【０１４９】
特に第１の位置から第２の位置への起動要素３６の移動は、起動アーム３８又はその起動部分３９が歯車４１との係合から出て移動するという結果をもたらし、特に、次の歯４３の上に引くことができる。それによって、アーム３８は、外に屈曲される。反対方向のその後の移動、すなわち、戻り移動又は第２から第１の位置への移動は、起動アーム３８又はその起動部分３９が次の歯４１と接触し、アーム３８の少なくとも本質的線形移動、より正確には、好ましくは、起動要素３６の線形移動を歯車４１の回転へと、より正確には、好ましくは、１つの歯４３による歯車４１の回転送りに伝達することができるという結果をもたらす。
【０１５０】
好ましくは、歯４３は、非対称であり、すなわち、起動アーム３８の前後移動及び係合によって１回転方向の段階的起動及び移動を容易にし、及び／又は保証するために、一方側及び他方側に別々に傾斜した肩部を含む。
【０１５１】
好ましくは、起動要素３６は、線形に移動可能であり、及び／又は摺動キャリッジを形成する。
【０１５２】
好ましくは、起動要素３６は、ハウジング３１、特にハウジング３１の下側部分３４によって移動可能に支持され及び／又は保持される。しかし、他の構成的ソリューションも同様に可能である。
【０１５３】
起動バネ４７は、好ましくは、一方でハウジング３１又は下側部分３４と他方で起動要素３６との間で作用する。
【０１５４】
本発明の実施形態において、バネ４７は、好ましくは、それが少なくとも部分的に挿入開口部５４を閉鎖又は阻止するように、第１の位置で既に圧縮され及び／又は付勢され、及び／又は起動要素３６を付勢する。
【０１５５】
好ましくは、起動要素３６は、第１の位置の挿入開口部３２の中又はその上を保護するその部分に傾斜滑走面５９を含む。この面５９は、駆動部分５２の挿入、すなわち、その軸線方向移動又は当接が、起動要素３６の横断方向又は半径方向移動に変換されるように傾斜している。
【０１５６】
これに代えて又はこれに加えて、そのような面５９はまた、斜面を使用して横断方向又は半径方向移動への軸線方向移動の望ましい変換を達成するように駆動部分５２に形成することができる。
【０１５７】
従って、伝達部４０又は歯車４１の起動又は回転は、好ましくは、起動バネ４７の力又はいずれかの他の圧力又はエネルギ貯蔵又はバネ手段によって達成することができる。これは、表示デバイス２５又はその表示要素３５を駆動するのに追加の力を必要としないという利点をもたらす。その結果、加圧及び小出し工程を妨げない。
【０１５８】
更に、伝達部４０／歯車４１の計数又は起動のトリガは、好ましくは、加圧又は小出し工程又は移動により、すなわち、流体２の実際の小出し中、すなわち、一般的に実際の使用又は吸入中に達成される。
【０１５９】
起動バネ４７は、好ましくは、挿入開口部５４の閉鎖に向けて起動要素３６を付勢する。
【０１６０】
通常、起動要素３６の移動は、ロック状態に到達される前にそれが挿入開口部５４を完全に閉鎖しないように制限される。この制限は、本発明の実施形態において、好ましくは、制御部６３が特に第１の位置で起動要素３６の戻り移動を制限するように当接する制御手段又は部分６２を通じて実現される。
【０１６１】
当接は、特に図１０に示されている。しかし、他の構成的ソリューションも同様に可能である。
【０１６２】
容器３とのネブライザ１の使用回数に達するか又は表示デバイス２５によって検出又は表示される時の予め決められた使用回数が超過された後に、ロック状態に入り、ネブライザ１は、現在の容器３との更なる使用に対してロックされることになり、及び／又は容器３は、ネブライザ１との更なる使用に対してロックされることになる。
【０１６３】
特に、表示デバイス２５は、図４及び１２〜１４と類似の部品を示す図１５の概略的拡大で概略的に示すように、容器３の更なる使用を阻止し、及び／又はロック状態で挿入開口部５４を閉鎖又は阻止する阻止部分６１を含む。この図示の状態において、容器３は、その非引張位置に戻っており、駆動部分５２は、表示デバイス２５から後退している。最後の小出し又は加圧工程中に、表示デバイス２５は、表示要素３５を更に１段階移動し、予め決められた使用回数が到達されるか又は超過されたこと、従って、ロック状態に入るべきであることを検出又は表示している。
【０１６４】
本発明の実施形態において、表示要素３５は、好ましくは、更なる使用に対してネブライザ１又は現在の容器３のロッキングをもたらすロック状態の検出に対して起動要素３６を解除する制御部分６２を含む。
【０１６５】
好ましくは、制御部分６２は、阻止位置への阻止部分６１の移動を可能にするか又は開始する切欠き部又は凹部を含む。好ましくは、阻止部分６１は、阻止位置で、すなわち、ロック状態で挿入開口部５４を阻止又は閉じる。好ましくは、制御部分６２は、回転可能な表示要素３５の内側の壁又は隆起部である。
【０１６６】
好ましくは、阻止部分６１は、表示デバイス２５又はそのハウジング３１に一体化される。
【０１６７】
阻止部分６１は、好ましくは、容器又はネブライザ１の長手方向又は小出し方向に対して及び／又は容器３の行程移動の方向に対して横断方向又は垂直に移動可能である。
【０１６８】
好ましくは、阻止部分６１は、駆動部分５２の起動又は挿入移動を、特に表示デバイス２５及び／又は駆動部分５２の（十分な）挿入に対して阻止する。
【０１６９】
好ましくは、阻止部分６１は、直線的に移動可能であり、及び／又は摺動キャリッジによって形成される。しかし、他の構成的ソリューションも同様に可能である。
【０１７０】
好ましくは、阻止部分６１は、本発明の実施形態では、好ましくは、起動バネ４７又はいずれかの他の適切な付勢手段によってその阻止位置へと付勢される。
【０１７１】
好ましくは、阻止部分６１は、流体２の最後の投薬量が小出しされた後かつロック状態に入るか又は検出された時に、表示デバイス２５の挿入開口部５４を閉鎖又は阻止する。この検出は、好ましくは、阻止部分６１又は制御部６３のようなあらゆる関連の構成要素を最も好ましくはバネ力により、特に図１１に概略的に示すような起動バネ４７などの力により、制御部分６２を通じてロック状態にすることができるということで達成される。
【０１７２】
好ましくは、阻止部分６１は、起動要素３６と接続されるか又はそれによって形成され、又はその逆も可能である。最も好ましくは、阻止部分６１は、起動要素３６の壁又は側面、好ましくは、平坦側面を形成する。しかし、他の構成的ソリューションも同様に可能である。
【０１７３】
本発明の実施形態において、起動要素３６は、ロック状態で第１の位置から第３の位置まで、すなわち、好ましくは、移動とは反対方向に第２の位置まで移動することができる。
【０１７４】
本発明の実施形態において、起動要素３６は、好ましくは、第３の位置（阻止位置）で完全に挿入開口部５４を閉じることができる。
【０１７５】
言い換えると、阻止部分６１の阻止位置は、好ましくは、起動要素３６の第３の位置に対応する。
【０１７６】
ロック状態又は第３の位置では、起動要素３６は、起動部分３９が、図１５に示すように歯車４１の回転方向に以前の歯４３を通過するように、起動アーム３８又はその部分３９と共に起動方向に更に移動している。
【０１７７】
好ましくは、起動要素３６は、ロック状態又は第３の位置（阻止位置）で容器３の更なる使用を阻止するように構成される。
【０１７８】
好ましくは、起動要素３６は、表示要素３５を回転送りするために第１及び第２の位置の間で前後に移動可能であり、ロック状態で容器３の更なる使用を阻止するように第３の位置まで移動可能である。
【０１７９】
特に、閉じた表示デバイス２５又は阻止部分６１は、特に、容器３が、上述のようなかつ通常の使用を防止するように通常の又は更なる使用の必要に応じて行程様式でネブライザ１の閉じたハウジングの内側で移動することができないという結果をもたらす。
【０１８０】
特に、表示デバイス２５又は挿入開口部５４のロッキングは、ネブライザ１及びハウジング部分１８が、ネブライザ１がもう一度引張された時又はそれが部分的に引張された時に少なくとも部分的に開かれるという結果をもたらす。図１６は、ネブライザ１のこの状態（部分的に開いたハウジング部分１８を有する部分的に引張されたネブライザ１）を概略的な長手方向断面に示している。引張工程中に、容器３は、表示デバイス２５と共に下向きに移動している。非引張状態（容器３の上側位置）から始まって、表示デバイス２５は、更なる通常の下向き移動が可能ではないように、通常は表示デバイス２５、ここでは駆動部分５２を起動する部材に対してその阻止部分６１／起動要素３６によって間もなく当接する。
【０１８１】
特に、阻止部分６１は、好ましくは、駆動部分５２が表示デバイス２５に挿入するのを防止し、又はロック状態でその挿入を制限することにより、ロック状態でネブライザ１の容器３の軸線方向可動性を制限する。ネブライザ１が引張された時に加わる力により、及び容器３の移動において生じた軸線方向力により、ハウジング部分１８は、ロック状態で軸線方向の更なる引張移動中に容器３及び表示デバイス２５と共に外側に又はネブライザ１、内側部分１７、又は上側部分に対して移動することになる。
【０１８２】
容器３、表示デバイス２５、及びハウジング部分１８の上記共通下向き移動は、ネブライザ１においてハウジング部分１８のそれぞれ構成された締結により可能である。特に、保持力は、それを容器３の下向き移動によって打ち勝つことができるように選択又は設定される。
【０１８３】
本発明の実施形態において、保持要素１９は、ハウジング部分１８のそれぞれの保持凹部６５において保持ノーズ６４と係合し、その逆も可能である。従って、実質的に刻み目又は窪みを実現することができる。しかし、一方でノーズ６４及び他方で凹部６５の少なくとも本質的に半径方向に延びる当接肩部は、保持要素１９が半径方向に屈曲して保持係合に打ち勝つように、引張工程の軸線方向力がノーズ６４の係合によって凹部６５の中に提供される保持力に打ち勝つことができるように半径方向平面に対して好ましくは約１°〜５°だけ僅かに傾斜している。その結果、ハウジング部分１８は、下向きにも移動し、従って、少なくとも部分的にネブライザ１から押されるか又は上側ハウジング部分１６から分離され、及び／又は内側部分１７から押される。
【０１８４】
ハウジング部分１８のこの押すか又は軸線方向の変位又はネブライザ１のいずれかの他の開放は、好ましくは、ロッキングデバイス２６を使用して更なる使用に対してネブライザ１をロックするという結果をもたらす。従って、表示デバイス２５又はその阻止部分６１は、ロック状態でのネブライザ１の望ましいロッキングをネブライザ１の開放を通じて間接的に達成する。
【０１８５】
好ましい実施形態において、ロッキングデバイス２６は、ロック状態でネブライザ１の引張を阻止する。
【０１８６】
好ましくは、ロッキングデバイス２６は、移動可能なロッキング要素６６及び関連のロッキングバネ６７を含む。ロッキング要素６６は、好ましくは、ロック位置とアンロック位置の間で軸線方向に移動可能である。ロッキング要素６６は、好ましくは、ロッキングバネ６７によってロックされた位置内に付勢される。
【０１８７】
ロック位置では、ロッキング要素６６は、好ましくは、図１６に示すその下側軸線方向位置にある。図１７は、図１６の丸で囲まれた区域の拡大を示している。
【０１８８】
ロック位置では、ロッキング要素６６は、外側部分１６に対して内側部分１７の回転を阻止し、従って、ネブライザ１の（更なる）引張を阻止する。これは、好ましくは、ロッキング要素６６が、上述の相対回転を阻止するように上側部分１６に形成されたそれぞれのポケット６８の中に軸線方向に移動又は係合するということで本発明の実施形態において達成される。特に、ロッキング要素６６は、あらゆる更なる回転及び／又は戻り回転を防止するように、それぞれの凹部又はポケット６８の中に係合部分６９と係合する。しかし、他の構成的ソリューションも同様に可能である。
【０１８９】
ロッキングデバイス２６、特にロッキング要素６６及びロッキングバネ６７は、好ましくは、内側部分１７に配置され及び／又は内側部分１７によって支持され及び／又は内側部分１７と上側部分１６の間を延びる。
【０１９０】
ネブライザ１、内側部分１７、又はロッキングデバイス２６は、好ましくは、ユーザ又は患者によるロッキングデバイス２６又はロッキング要素６６のあらゆる望ましくない操作を防止又は少なくとも複雑にするために、内側部分１７の下側部分１７ｂの少なくとも周囲でロッキングデバイス２６を覆うカバー７０を含む。
【０１９１】
図１８は、図１６と類似の概略断面であるが、ロッキングデバイス２６がアンロック位置に、すなわち、ロッキング要素６６が上側位置にあるネブライザ１を示している。ロッキングデバイス２６又はロッキング要素６６は、この位置にもたらされ、又は好ましくは単にネブライザ１を閉じることにより、特に、完全に取り付けられた又は閉じた位置にあるハウジング部分１８によってアンロックされる。
【０１９２】
図示の実施形態において、ハウジング部分１８は、図１８に示すように、ロッキングデバイス６６の中に及び／又はカバー７０の中に延び、及び／又はロッキング要素６６に軸線方向に当接し、及び／又はそれをそのアンロック位置（上側位置）に押し込む好ましくは指状及び／又は軸線方向に延びるアクチュエータ７１を含む。従って、完全に閉じたネブライザ１又はハウジング部分１８だけが、ロッキングデバイス２６をアンロックし、従って、ネブライザ１をアンロックする。
【０１９３】
アクチュエータ７１は、好ましくは、いずれの操作も可能ではなく又は少なくとも複雑であるようにハウジング部分１８内に配置される。
【０１９４】
ネブライザ１がロック状態にある時に、好ましくは、ネブライザ１又はそのハウジング部分１８が最終の引張工程によって部分的に開いている時に、容器３及び表示デバイス２５を有するネブライザ１のそのロック状態におけるあらゆる更なる使用は、可能ではない。ロッキングデバイス２６は、好ましくは、自動でロックする。好ましくは、ロッキングバネ６７は、ロッキング要素６６をロック位置内に付勢し、従って、ネブライザ１の少なくとも部分開放又はそのハウジング部分１８の（軸線方向）変位時に、ロッキングデバイス２６又はそのロッキング要素６６は、ロック位置内に移動することができ、又は移動する。
【０１９５】
好ましくは、ロッキング要素６６は、軸線方向に移動可能である（本質的に又は単に）。
【０１９６】
新しいか又はリセットされた表示デバイス２５を含む新しい容器３に対してそのロックした表示デバイス２５（阻止位置の阻止部分６１）を有する現在の容器３の交換後に、ネブライザ１又はそのハウジング部分１８は、再度完全に閉じることができる。従って、ネブライザ１又はそのロッキングデバイス２６は、再度アンロックすることができ又はアンロックされる。好ましくは、アクチュエータ７１は、ロッキング要素６６をそのアンロック位置に押し込んで戻す。
【０１９７】
従って、ロッキングデバイス２６は、好ましくは、ネブライザ１、そのハウジング２４、又はハウジング部分１８を（完全に）閉じることによって再度リセット又はアンロックされ、ネブライザ１は、以前のように新しい容器３と共に使用することができる。
【０１９８】
好ましくは中心に配置される及び／又は軸線方向に開く及び／又はアクチュエータ要素、特に本発明の実施形態における駆動部分５２の軸線方向挿入を可能にする挿入開口部５４はまた、凹部、溝、又は窪みなどとして形成することができ、及び／又はあらゆる向きで表示デバイス２５でのあらゆる位置又は場所に配置することができることは注目する必要がある。
【０１９９】
これに代えて、挿入開口部５４又はその閉鎖は、省略することもできる。その代わりに、表示デバイス２５、起動要素３６、又は阻止部分６１は、更なる使用に対してネブライザ１又は容器３の直接又は間接ロッキングを引き起こすために、ロッキングデバイス２６又は例えば保持要素１９又は阻止要素８と多かれ少なかれ直接に連通するか又はそれを起動することができる。
【０２００】
図１９は、本発明の修正実施形態による表示デバイス２５を概略断面に示している。図２０は、図１９による断面の斜視図である。
【０２０１】
以下では、上述の説明及び態様がこれに加えて特に繰り返すことなく同じか又は類似の方式で適用されるように、関連の差異のみを説明する。
【０２０２】
修正実施形態において、起動アーム３８及び起動部分３９は、ウォームドライブの間、すなわち、歯車４１と従動部分（ここではつまり表示要素３５）の係合突起６０との間では係合しないが、ここでは好ましくは上からではなくて下からの図１９において、別の側又はウォームドライブの反対側で歯車４１と係合するか又はそれを起動する。特に、起動アーム３８は、多かれ少なかれ半径方向平面に、及び／又は起動バネ４７及び／又は阻止部分６１又は起動要素３６の摺動キャリッジ部分と多かれ少なかれ共通の平面に延びる。
【０２０３】
好ましくは、起動アーム３８又は部分３９は、容器３又は把持セクション３２の反対側で歯車４１と係合する。
【０２０４】
修正実施形態において、表示デバイス２５は、本発明の最初の実施形態で提供されている通り、好ましくはネブライザ１が引張された時に、すなわち、引張工程中に計数し、小出し工程中には計数しない。
【０２０５】
特に、起動要素３６又はそのアーム３８は、駆動部分５２が、表示デバイス２５、そのハウジング３１、又はその挿入開口部５４に挿入される時、及び／又は起動要素３６が、第１の位置から第２の位置まで移動する時、及び／又は起動要素３６が、駆動部分５２によって横断方向に押される時に伝達部４０又は歯車４１を駆動又は回転させる。反対方向に、起動アーム又はその起動部分３９は、歯車４１の次の歯４３を通過し、すなわち、歯車４１を駆動しない。
【０２０６】
修正実施形態において、表示デバイス２５又は計数は、起動バネ４７又はいずれかの他のバネ又はエネルギ貯蔵の力によるのではなく、ネブライザ１内の表示デバイス２５の相対移動によって又は駆動部分５２のような起動要素の挿入によって駆動される。しかし、他の構成的ソリューションも同様に可能である。
【０２０７】
修正実施形態において、第３又はロッキング位置へのキャリッジ／起動要素３６／ロッキング部分６１の移動の阻止は、予め決められた使用回数が到達されるか又はそれを超えた時に引張中に解除される。次に、キャリッジ／起動要素３６／阻止部分６１は、計数が引張中に行われるので駆動部分５２に対して当接する。ネブライザ１が起動された時又は阻止要素８を押し下げる時に、ネブライザ１がトリガされ、流体２の（最後の）投薬量が噴霧される。この噴霧中に、キャリッジ／起動要素３６／阻止部分６１が、起動バネ４７又はいずれかの他のバネ手段の力により第３又はロッキング位置内に自由に移動するように、駆動部分５２は、表示デバイス２５又は挿入開口部５４から取り外される。
【０２０８】
次の引張中に、ネブライザ１又はそのハウジング２４又はハウジング部分１８は、駆動部分５２が、閉じた表示デバイス２５に対して、特に、挿入開口部５４を制限するか又は閉じ、キャリッジ／起動要素３６／阻止部分６１に対して当接する時に、部分的に開かれることになる。
【０２０９】
上述の実施形態において、表示デバイス２５の計数又は起動は、流体を小出しする時に、すなわち、駆動部分５２を挿入開口部５４から引き戻す時に起こるか又は行われる。そこでは、キャリッジ／起動要素３６／阻止部分６１は、キャリッジ／起動要素３６／／阻止部分６１が、第３又はアンロッキング位置に直接に更に移動することができるように、ネブライザ１の最後の使用又は小出し中、すなわち、第２の位置から第１の位置まで移動する時に解除される。従って、後のあらゆる小出しは可能ではない。
【０２１０】
いずれの場合にも、すなわち、上述の実施形態及び修正実施形態において、表示デバイス２５は、ロック状態でネブライザ１内の容器３の完全軸線方向又は行程可動性を阻止し、及び／又はロック状態で少なくとも部分的にネブライザハウジング２４及び／又はハウジング部分１８の開放を特にネブライザ１が少なくとも部分的に最後に現在の容器３を用いて引張される時に引き起こす。
【０２１１】
更に、ネブライザ１又はそのハウジング２４又はハウジング部分１８の少なくとも部分開放により、ネブライザ１は阻止（ブロック）され、特に、現在の容器３でこれ以上引張又はそれ以上使用することはできない。
【０２１２】
図１９及び２０は、非起動又は初期状態の及び／又は起動要素３６が第１の位置にある本発明による表示デバイス２６を示している。好ましくは、上方に及び／又は軸線方向に延びる制御部６３は、好ましくは、表示要素３５によって又はそこに形成された好ましくはリング状制御部分６２に対して当接する。好ましくは、制御部分６２は、制御部６３が中間を移動することができ、起動要素３６が第１及び第２の位置の間を自由に移動するように、表示要素３５の外壁までの半径方向距離を有するが、制御部分６２に対する制御部６３の当接は、第１の位置から更に第３の位置に向けて及び／又は更に挿入開口部５４の（完全）閉鎖までの起動要素３６の移動を防止する。
【０２１３】
好ましくは、突起６０は、歯状であり、及び／又はその自由端に向けて先細にされる。
【０２１４】
好ましくは、突起６０は、制御部分６２上に形成されるか又はそれと接続される。
【０２１５】
一般的に、挿入開口部５４には、好ましくは、円錐面又は縁部が設けられ、駆動部分５２などの挿入を容易にする。
【０２１６】
好ましくは、支持構造５５は、穿孔部分４８を好ましくは表示デバイス２５又はそのハウジング３１又はハウジング３１のそれぞれの開口部の中心に移動可能に保持するために１又は２以上の可撓性アームを形成するか又はそれを含み、その結果、穿孔部分４８は、通常は表示デバイス２５の内側に保持されるが、通気を開放又は穿孔するために移動し、特に、外向きに及び／又は容器３に向けて突出することができる。しかし、他の構成的ソリューションも同様に可能である。
【０２１７】
一般的に、表示デバイス２５及び容器３は、使用後に、特に、ロック状態に達した後に完全に取り替える必要がある分離不能なアセンブリ又はユニットを形成する。しかし、容器３及び表示デバイス２５は、ユーザ又は患者が組み立てることができるキットとして供給又は提供することも可能である。
【０２１８】
一般的に、表示デバイス２５は、それを再使用することができないように、ロック状態に達した後はリセットすることはできない。しかし、表示デバイス２５は、それをリセットして再使用することができるように修正することも可能である。この場合に、表示デバイス２５は、現在の容器３から分離して新しい（未使用）容器３と接続しなければならない。最も好ましくは、そのような容器交換は、自動で表示デバイス２５をリセットする。
【０２１９】
一般的に、起動要素３６又は阻止部分６１は、好ましくは、直線的に、特に、摺動キャリッジのように移動可能である。特に、摺動キャリッジが形成される。
【０２２０】
好ましくは、摺動キャリッジは、起動要素３６又は阻止部分６１のベース部分を形成する。
【０２２１】
好ましくは、摺動キャリッジ、起動要素３６、又は阻止部分６１は、図８及び９に概略的に示すように、両側に、好ましくは、挿入開口部５４の両側に摺動ガイド７２によって移動可能に保持される。好ましくは、ガイド７２は、起動要素３６又は阻止部分６１のそれぞれの縁部又はベース部分７３にわたって把持するハウジング３１又はその下側部分３４のそれぞれのレールなどによって形成され、望ましい摺動案内を形成する。しかし、他の構成的ソリューションも同様に可能である。
【０２２２】
好ましくは線形又はスレッド状の移動可能起動要素３６及び／又は阻止部分６１の代わりに、いずれかの他の運動、特に、半径方向及び／又はピボット回転移動が、特に挿入開口部５４を部分的に又は完全に閉じるために可能である。
【０２２３】
これに代えて、起動要素３６及び／又は阻止部分６１は、少なくとも１つの係合可能性をロックし、及び／又はロック状態でいずれかの他の構成要素を起動するために、又はネブライザ１及び／又は容器３をロックするために、表示デバイス２５又はそのハウジング３１から外向きに、好ましくは、横断方向に及び／又は表示器ハウジング３１の片側に移動することができる。
【０２２４】
これに代えて又はこれに加えて、起動要素３６及び／又は阻止部分６１は、ロック状態でネブライザ１及び／又は容器３の更なる使用を阻止するようにロック状態で作動又は移動を制限又は防止するために、ハウジング部分１８及び／又はネブライザハウジング２４などの断面又は輪郭の中に係合又はそれに対して当接することができる。
【０２２５】
起動要素３６及び／又は阻止部分６１は、特に同じく半径方向に作用する時に、好ましくは、バネ４７又はいずれかの他のバネ手段によって付勢される。バネ又はバネ手段は、一体的に及び／又はプラスチック部品又はプラスチック部分によって形成することができる。これに代えて、螺旋又は時計バネ、又は螺旋バネ４７などのようないずれかの他のバネは、起動要素３６及び／又は阻止部分６１を好ましくはロック状態に付勢するために使用することができると考えられる。
【０２２６】
駆動部分５２が、直接に歯車４１を駆動又は起動することも可能である。この場合に、駆動部分５２は、好ましくは、ハウジング１８により、特にバネ手段（図示せず）を通じて、特に、軸線方向公差を補償し及び／又は駆動部分５２の半径方向又は横断方向屈曲を可能にするために弾性的に支持される。これに代えて又はこれに加えて、駆動部分５２は、歯車４１に対する相対軸線方向移動の一方向にのみ歯車４１と係合するための横断方向屈曲が、一回転方向にのみ歯車４１を回転することを可能にするように、可撓性とすることができる。
【０２２７】
表示デバイス２５は、特に本明細書に引用によって組み込まれているＷＯ  ２００９／０３７０８５  Ａ１の４ページの１９行〜１０ページの１３行に説明するようにいずれかの他の計数機構を含むことができる。そのような計数機構はまた、起動要素３６及び／又は阻止部分６１をトリガ、解除、又は起動することができる。この計数機構を使用する時に、回転可能な表示要素３５はまた、ロック状態でキャリッジ、起動要素３６、又は阻止部分６１を解除するか又はその解除を制御し、第３又はロッキング位置へ移動するか又は挿入開口部５４を閉じることができる。
【０２２８】
キャリッジ又は阻止部分６１は、計数とは独立していることも可能である。特に、駆動部分５２は、ＷＯ  ２００９／０３７０８５  Ａ１などに示す計数機構のハブと係合し、及び／又はキャリッジ又は阻止部分６１を起動することなく表示デバイス２５又は計数を駆動又は起動することができる。この場合に、機能は、分離される。キャリッジ及び／又は阻止部分６１は、好ましくは、ロック状態で挿入開口部５４を制限又は閉じるためにのみ使用されるが、その計数機構又は伝達部４０の表示デバイス２５、又は表示要素３５などを起動又は駆動するためには使用されるものではない。
【０２２９】
容器３又は表示デバイス２５又は挿入開口部５４には、特に最初に使用する前に挿入開口部５４を覆う図１９にのみ概略的に示す任意的な保護体７４を備えることができる。
【０２３０】
好ましくは、保護体７４は、容器３及び／又は表示デバイス２５をネブライザ１又はハウジング部分１８内に挿入することができる前に取り外す必要がある。
【０２３１】
好ましくは、保護体７４は、表示デバイス２５又はそのハウジング３１にわたって及び／又は容器３にわたって横断方向に延び、及び／又は特にそれがネブライザ１又はハウジング部分１８内に嵌合しないように表示デバイス２５及び／又は容器３よりも大きい直径を有する。
【０２３２】
好ましくは、保護体７４は、不可逆的にのみ取り外すことができ、すなわち、取り外した後で再接続することはできない。
【０２３３】
好ましくは、保護体７４は、挿入開口部５４及び／又は表示デバイス２５を覆うか又は閉じる。
【０２３４】
好ましくは、保護体７４は、形状適合又は押込により、及び／又はスナップ装着で又はクリック装着で表示デバイス２５又は容器３に接続される。
【０２３５】
上述のように、説明する実施形態の個々の特徴、態様、及び／又は原理は、必要に応じて互いに組み合わせることもでき、図示したネブライザ１において特に使用することができるが、類似の又は異なるネブライザにおいても使用することもできる。
【０２３６】
様々な実施形態の特徴は、組み合わせるか又は交換することができる。
【０２３７】
独立型機器などとは異なり、提案するネブライザ１は、好ましくは、携帯式であるように設計され、特に移動式手動デバイスである。
【０２３８】
しかし、提案するソリューションは、本明細書で具体的に説明するネブライザ１だけではなく、他のネブライザ又は吸入器、例えば、粉末吸入器又はいわゆる計量式投薬吸入器に使用することもできる。
【０２３９】
好ましくは、流体２は、上述のような液体、特に、水性医薬製剤又はエタノール医薬薬剤である。しかし、それはまた、何らかの他の医薬薬剤又は懸濁液などである場合がある。
【０２４０】
代替実施形態により、流体２はまた、粒子又は粉末を含むことができる。この場合に、排出ノズル１２の代わりに、何らかの他の種類の供給デバイス、特に、流体を粉末などに供給するための排出開口部（図示せず）又は供給チャネル（図示せず）をマウスピース１３の中に設けることができる。任意的な空気供給開口部１５は、次に、マウスピース１３を通して呼吸又は吸入するのに十分な容積の空気流を発生又は可能にするために、好ましくは、並行して周囲空気を供給するように機能する。
【０２４１】
必要に応じて、流体２は、推進剤ガスを使用して噴霧化することもできる。
【０２４２】
好ましい薬液２の好ましい原料及び／又は製剤は、特に、本明細書に引用によって組み込まれているＷＯ  ２００９／１１５２００  Ａ１、好ましくは２５〜４０ページに、又はＥＰ  ２，６１４，８４８  Ａ１、段落００４０〜００８７に列挙されている。特に、それらは、水性又は非水性溶液、混合液、又はエタノール含有又はいかなる溶剤も含まない製剤などである場合がある。
【０２４３】
参照番号のリスト
１  ネブライザ
２  流体
３  容器
４  バッグ
５  圧力発生器
６  ホルダ
７  駆動バネ
８  阻止要素
９  搬送チューブ
１０  逆止弁
１１  圧力チャンバ
１２  ノズル
１３  マウスピース
１４  エアロゾル
１５  空気供給開口部
１６  上側ハウジング部分
１７  内側部分
１７ａ  内側部分の上側部分
１７ｂ  内側部分の下側部分
１８  ハウジング部分（下側部分）
１９  保持要素
２０  通気バネ
２１  容器ベース
２２  穿孔要素
２３  通気孔
２４  ネブライザハウジング
２５  表示デバイス
２６  ロッキングデバイス
２７  マウスピースカバー
２８  ヘッド
２９  容器ハウジング
３０  容器縁部
３１  表示器ハウジング
３１ａ  窓
３２  把持セクション
３３  上側部分
３４  下側部分
３５  表示要素
３６  起動要素
３７  マーキング
３８  起動アーム
３９  起動部分
４０  伝達部
４１  歯車
４２  ウォーム
４３  歯
４４  心棒セクション
４５  軸受セクション
４６  軸受部分
４７  起動バネ
４８  穿孔部分
４９  穿孔先端
５０  ホイル
５１  窪み
５２  駆動部分
５３  底部
５４  挿入開口部
５５  支持構造
５６  可撓性アーム
５７  溝
５８  ラチェット
５９  面
６０  突起
６１  阻止部分
６２  制御部分
６３  制御部
６４  保持ノーズ
６５  保持凹部
６６  ロッキング要素
６７  ロッキングバネ
６８  ポケット
６９  係合部分
７０  カバー
７１  アクチュエータ
７２  摺動ガイド
７３  ベース部分
７４  保護体
【図１】
0006594340.tif 000002
【図２】
0006594340.tif 000003
【図３】
0006594340.tif 000004
【図４】
0006594340.tif 000005
【図５】
0006594340.tif 000006
【図６】
0006594340.tif 000007
【図７】
0006594340.tif 000008
【図８】
0006594340.tif 000009
【図９】
0006594340.tif 000010
【図１０】
0006594340.tif 000011
【図１１】
0006594340.tif 000012
【図１２】
0006594340.tif 000013
【図１３】
0006594340.tif 000014
【図１４】
0006594340.tif 000015
【図１５】
0006594340.tif 000016
【図１６】
0006594340.tif 000017
【図１７】
0006594340.tif 000018
【図１８】
0006594340.tif 000019
【図１９】
0006594340.tif 000020
【図２０】
0006594340.tif 000021